(57)【要約】  本明細書の実施形態は、アップリンク多入力多出力モードにおけるユーザ機器（１４）の１次ストリーム及び２次ストリームから出る２次ストリームの伝送に関して、ユーザ機器（１４）にフィードバックを供給する、基地局（１２）における方法に関連する。基地局（１２）は、チャネル内の２次ストリームのための好適な伝送ランク及びオフセットをユーザ機器（１４）に伝送し、オフセットは、２次ストリームのトランスポートブロックサイズを決定するときにユーザ機器（１４）によって使用され、好適な伝送ランクは、伝送ランクを決定するときにユーザ機器（１４）によって使用される。
2015518668.tif 000002
【特許請求の範囲】
【請求項１】
アップリンク多入力多出力モードにおけるユーザ機器（１４）の１次ストリーム及び２次ストリームから出る２次ストリームの伝送に関して、ユーザ機器（１４）にフィードバックを供給する、基地局（１２）における方法であって、
−チャネル内において前記２次ストリームのための好適な伝送ランク及びオフセットを前記ユーザ機器（１４）に伝送すること（２０２、４０１）であって、前記オフセットが、前記２次ストリームのトランスポートブロックサイズを決定するときに前記ユーザ機器（１４）によって使用され、前記好適な伝送ランクが、伝送ランクを決定するときに前記ユーザ機器（１４）によって使用される、伝送すること（２０２、４０１）
を含む方法。
【請求項２】
前記チャネルのフォーマットは、アイデンティティ特有巡回冗長検査アタッチメントを利用する共有チャンネルによって定義されるものである、請求項１に記載の方法。
【請求項３】
前記チャネルが、拡張専用チャネル絶対グラントチャネル（Ｅ−ＡＧＣＨ）と同じチャネル化コードを使用し、且つ前記Ｅ−ＡＧＣＨと異なるユーザ機器アイデンティティ又は異なるユーザ機器マスクを使用する、請求項１又は２に記載の方法。
【請求項４】
前記チャネルが、拡張専用チャネル絶対グラントチャネル（Ｅ−ＡＧＣＨ）と異なるチャネル化コードを使用し、且つ前記Ｅ−ＡＧＣＨと同じユーザ機器マスク又は同じユーザ機器アイデンティティを使用する、請求項１又は２に記載の方法。
【請求項５】
前記チャネルが、拡張専用チャネル絶対グラントチャネル（Ｅ−ＡＧＣＨ）と異なるチャネル化コードを使用し、且つ前記Ｅ−ＡＧＣＨと異なるユーザ機器マスク又は異なるユーザ機器アイデンティティを使用する、請求項１又は２に記載の方法。
【請求項６】
前記チャネルが、前記好適な伝送ランクが変更されたとき、及び／又は新しいオフセット値が伝達されるべきとき、伝送される、請求項１から５のいずれか一項に記載の方法。
【請求項７】
前記チャネルが６つの情報ビットを含み、１ビットが前記好適な伝送ランクを示し、５ビットが前記オフセットを示す、請求項１から６のいずれか一項に記載の方法。
【請求項８】
１ビットが、ランク変化を示し、且つ特定のハイブリッド自動再送要求（ＨＡＲＱ）プロセスを標的とするか、又はすべてのＨＡＲＱプロセスに適用される、請求項１から７のいずれか一項に記載の方法。
【請求項９】
１次ストリーム及び２次ストリームから出る２次ストリームの伝送を扱うユーザ機器（１４）における方法であって、前記ユーザ機器（１４）が、アップリンク多入力多出力モードにあり、
−基地局（１２）から２次ストリームのための好適な伝送ランク及びオフセットを運ぶチャネルをモニターすること（２０３、５０１）と、
−前記２次ストリームにおいてデータを伝送するときに前記好適な伝送ランク及び前記オフセットを使用すること（２０４、５０２）であって、前記オフセットが、前記２次ストリームのトランスポートブロックサイズを決定するために使用され、前記好適な伝送ランクが、伝送ランクを決定するために使用される、使用すること（２０４、５０２）と
を含む方法。
【請求項１０】
前記チャネルのフォーマットが、アイデンティティ特有巡回冗長検査アタッチメントを利用する共有チャンネルによって定義されるものである、請求項９に記載の方法。
【請求項１１】
前記チャネルが、拡張専用チャネル絶対グラントチャネル（Ｅ−ＡＧＣＨ）と同じチャネル化コードを使用し、且つ前記Ｅ−ＡＧＣＨと異なるユーザ機器マスク又はユーザ機器アイデンティティを使用し、前記ユーザ機器（１４）が、前記ユーザ機器マスク又は前記ユーザ機器アイデンティティに基づいて前記チャネル及び前記Ｅ−ＡＧＣＨを特定する、請求項９又は１０に記載の方法。
【請求項１２】
前記チャネルが、拡張専用チャネル絶対グラントチャネル（Ｅ−ＡＧＣＨ）と異なるチャネル化コードを使用し、且つ前記Ｅ−ＡＧＣＨと同じユーザ機器マスク又は同じユーザ機器アイデンティティを使用し、前記ユーザ機器（１４）が、チャネル化コードに基づいて前記チャネル及び前記Ｅ−ＡＧＣＨを特定する、請求項９又は１０に記載の方法。
【請求項１３】
前記チャネルが、拡張専用チャネル絶対グラントチャネル（Ｅ−ＡＧＣＨ）と異なるチャネル化コードを使用し、且つ前記Ｅ−ＡＧＣＨと異なるユーザ機器マスク又は異なるユーザ機器アイデンティティを使用し、前記ユーザ機器（１４）が、チャネル化コード及び／又はユーザ機器マスク又はユーザ機器アイデンティティに基づいて前記チャネル及び前記Ｅ−ＡＧＣＨを特定する、請求項９又は１０に記載の方法。
【請求項１４】
前記チャネルが６つの情報ビットを含み、１ビットが前記好適な伝送ランクを示し、５ビットが前記オフセットを示す、請求項９から１３のいずれか一項に記載の方法。
【請求項１５】
１ビットが、ランクの変化を示し、且つ特定のハイブリッド自動再送要求（ＨＡＲＱ）プロセスを標的とするか、又はすべてのＨＡＲＱプロセスに適用される、請求項９から１４のいずれか一項に記載の方法。
【請求項１６】
アップリンク多入力多出力モードにおけるユーザ機器（１４）の１次ストリーム及び２次ストリームから出る２次ストリームの伝送に関して、前記ユーザ機器（１４）にフィードバックを供給するように適合される基地局（１２）であって、
チャネル内において前記２次ストリームのための好適な伝送ランク及びオフセットを前記ユーザ機器（１４）に伝送するように構成される送受信回路（２２）であって、前記オフセットが、前記２次ストリームのトランスポートブロックサイズを決定するときに前記ユーザ機器（１４）によって使用され、前記好適な伝送ランクが、伝送ランクを決定するときに前記ユーザ機器（１４）によって使用される、送受信回路（２２）
を備える基地局（１２）。
【請求項１７】
前記チャネルのフォーマットが、アイデンティティ特有巡回冗長検査アタッチメントを利用する共有チャンネルによって定義されるものである、請求項１６に記載の基地局（１２）。
【請求項１８】
前記チャネルが、拡張専用チャネル絶対グラントチャネル（Ｅ−ＡＧＣＨ）と同じチャネル化コードを使用し、且つ前記Ｅ−ＡＧＣＨと異なるユーザ機器アイデンティティ又は異なるユーザ機器マスクを使用する、請求項１６又は１７に記載の基地局（１２）。
【請求項１９】
前記チャネルが、拡張専用チャネル絶対グラントチャネル（Ｅ−ＡＧＣＨ）と異なるチャネル化コードを使用し、且つ前記Ｅ−ＡＧＣＨと同じユーザ機器マスク又は同じユーザ機器アイデンティティを使用する、請求項１６又は１７に記載の基地局（１２）。
【請求項２０】
前記チャネルが、拡張専用チャネル絶対グラントチャネル（Ｅ−ＡＧＣＨ）と異なるチャネル化コードを使用し、且つ前記Ｅ−ＡＧＣＨと異なるユーザ機器マスク又は異なるユーザ機器アイデンティティを使用する、請求項１６又は１７に記載の基地局（１２）。
【請求項２１】
前記好適な伝送ランクが変化するとき、及び／又は新しいオフセット値が伝達されるべきとき、前記チャネルを伝送するように構成される、請求項１６から２０のいずれか一項に記載の基地局（１２）。
【請求項２２】
前記チャネルが６つの情報ビットを含み、１ビットが前記好適な伝送ランクを示し、５ビットが前記オフセットを示す、請求項１６から２１のいずれか一項に記載の基地局（１２）。
【請求項２３】
１ビットが、ランク変化を示し、且つ特定のハイブリッド自動再送要求（ＨＡＲＱ）プロセスを標的とするか、又はすべてのＨＡＲＱプロセスに適用される、請求項１６から２２のいずれか一項に記載の基地局。
【請求項２４】
１次ストリーム及び２次ストリームから出る２次ストリームの伝送を扱うように適合されるユーザ機器（１４）であって、前記ユーザ機器（１４）が、アップリンク多入力多出力モードにあり、
基地局（１２）から前記２次ストリームのための好適な伝送ランク及びオフセットを運ぶチャネルをモニターするように構成され、且つ前記２次ストリーム内においてデータを伝送するときに前記好適な伝送ランク及び前記オフセットを使用するように構成される制御及び処理回路（２４）であって、前記オフセットが、前記２次ストリームのトランスポートブロックサイズを決定するために使用され、前記好適な伝送ランクが、伝送ランクを決定するために使用される、制御及び処理回路（２４）
を備えるユーザ機器（１４）。
【請求項２５】
前記チャネルのフォーマットが、アイデンティティ特有巡回冗長検査アタッチメントを利用する共有チャンネルによって定義されるものである、請求項２４に記載のユーザ機器（１４）。
【請求項２６】
前記チャネルが、拡張専用チャネル絶対グラントチャネル（Ｅ−ＡＧＣＨ）と同じチャネル化コードを使用し、且つ前記Ｅ−ＡＧＣＨと異なるユーザ機器マスク又はユーザ機器アイデンティティを使用し、前記ユーザ機器（１４）が、前記ユーザ機器マスク又は前記ユーザ機器アイデンティティに基づいて前記チャネル及び前記Ｅ−ＡＧＣＨを特定する、請求項２４又は２５に記載のユーザ機器（１４）。
【請求項２７】
前記チャネルが、拡張専用チャネル絶対グラントチャネル（Ｅ−ＡＧＣＨ）と異なるチャネル化コードを使用し、且つ前記Ｅ−ＡＧＣＨと同じユーザ機器マスク又は同じユーザ機器アイデンティティを使用し、前記ユーザ機器（１４）が、チャネル化コードに基づいて前記チャネル及び前記Ｅ−ＡＧＣＨを特定する、請求項２４又は２５に記載のユーザ機器（１４）。
【請求項２８】
前記チャネルが、拡張専用チャネル絶対グラントチャネル（Ｅ−ＡＧＣＨ）と異なるチャネル化コードを使用し、且つ前記Ｅ−ＡＧＣＨと異なるユーザ機器マスク又は異なるユーザ機器アイデンティティを使用し、前記ユーザ機器（１４）が、チャネル化コード及び／又はユーザ機器マスク又はユーザ機器アイデンティティに基づいて前記チャネル及び前記Ｅ−ＡＧＣＨを特定する、請求項２４又は２５に記載のユーザ機器（１４）。
【請求項２９】
前記チャネルが６つの情報ビットを含み、１ビットが前記好適な伝送ランクを示し、５ビットが前記オフセットを示す、請求項２４から２８のいずれか一項に記載のユーザ機器（１４）。
【請求項３０】
１ビットが、ランク変化を示し、且つ特定のハイブリッド自動再送要求（ＨＡＲＱ）プロセスを標的とするか、又はすべてのＨＡＲＱプロセスに適用される、請求項２４から２９のいずれか一項に記載のユーザ機器（１４）。
【発明の詳細な説明】
【技術分野】
【０００１】
本明細書の実施形態は、基地局、ユーザ機器、及びそれらにおける方法に関する。具体的には、本明細書の実施形態は、１次ストリーム及び２次ストリームから出る２次ストリームのための伝送を構成することに関する。
【背景技術】
【０００２】
典型的な無線通信ネットワークでは、移動局及び／又はユーザ機器（ＵＥ）としても知られる無線端末は、無線アクセスネットワーク（ＲＡＮ）を介して一又は複数のコアネットワークと通信する。ＲＡＮは、複数のセル領域に分割される地理的領域をカバーし、各セル領域は、基地局、例えば、無線基地局（ＲＢＳ）によってサービス提供され、ＲＢＳは、一部のネットワークでは、例えば、ユニバーサル移動体通信システム（ＵＭＴＳ）では「ＮｏｄｅＢ」、又はロングタームエボリューション（ＬＴＥ）では「ｅＮｏｄｅＢ」とも呼ばれる。セルとは、アンテナと無線基地局が併置されない場合に、基地局サイト又はアンテナサイトにおいて無線基地局によって無線カバレッジが提供される地理的領域である。各セルは、セル内でブロードキャストされるローカル無線エリア内のアイデンティティによって特定される。全体のモバイルネットワーク内でセルを一意的に特定する別のアイデンティティもセル内でブロードキャストされる。基地局は、無線周波数で動作するエアーインタフェースを通じて、基地局の範囲内でユーザ機器と通信する。
【０００３】
一部のＲＡＮのバージョンでは、幾つかの基地局が、典型的に、例えば、陸上通信線又はマイクロ波によって、無線ネットワーク制御装置（ＲＮＣ）又は基地局制御装置（ＢＳＣ）などのコントローラノードに接続され、コントローラノードは、それに接続される複数の基地局の様々なアクティビティを監視しまとめる。典型的には、ＲＮＣは一又は複数のコアネットワークに接続される。
【０００４】
ＵＭＴＳは、第２世代（２Ｇ）世界移動体通信システム（ＧＳＭ）から進化した、第３世代移動体システムである。ＵＭＴＳ地上波無線アクセスネットワーク（ＵＴＲＡＮ）は、本質的にユーザ機器のために広帯域符号分割多元接続（ＷＣＤＭＡ）及び／又は高速パケットアクセス（ＨＳＰＡ）を使用するＲＡＮである。第３世代パートナーシッププロジェクト（３ＧＰＰ）として知られるフォーラムでは、通信供給者は、例えば、第３世代ネットワーク及び次の世代のための規格を提案してそれについて合意し、拡張されたデータレート及び無線容量を調査する。
【０００５】
３ＧＰＰ  ＲＡＮ第５４回全体会議では、高速アップリンクパケットアクセス（ＨＳＵＰＡ）のための６４直交振幅変調（ＱＡＭ）の多入力多出力（ＭＩＭＯ）上のワークアイテム（ＷＩ）が開始された（ＲＰ−１１１６４２、「MIMO with 64QAM for HSUPA」を参照）。ＷＩの開始は、潜在的利益及び検討項目（ＳＩ）段階の間に実行されたソルーションに関する広範囲な研究の結果であった（調査結果の要約に関しては、ＴＲ２５．８７１、「Uplink Multiple Input Multiple Output (MIMO) for High Speed Packet Access」の１１．０．０版を参照）。
【０００６】
アップリンクＭＩＭＯモードで構成されるＵＥについては、シングルストリーム伝送又はデュアルストリーム伝送（それぞれ、ランク１伝送及びランク２伝送とも呼ばれる）のいずれかが行なわれうる。デュアルストリーム伝送は、主に、信号対干渉及びノイズ比（ＳＩＮＲ）が高く、及びチャネルが散乱を示し、及び／又は交差偏光アンテナ（ｃｒｏｓｓ−ｐｏｌａｒｉｚｅｄ  ａｎｔｅｎｎａｓ）が使用される環境において便利である。シングルストリーム伝送が予定されているとき、プリコード化ゲインが代わりにリンクバジェットを改善する。
【０００７】
グラント及びＥ−ＴＦＣ選択の手順
レガシーＵＥについては、トランスポートブロックサイズ（ＴＢＳ）が、グラント及び拡張専用トランスポートチャネルトランスポートフォーマットコンビネーション（Ｅ−ＴＦＣ）選択手順を介して設定及び制御される。拡張専用トランスポートチャネルは、Ｅ−ＤＣＨと略すことができる。拡張専用トランスポート専用物理データチャンネル（Ｅ−ＤＰＤＣＨ）と専用物理制御チャネル（ＤＰＣＣＨ）の間のパワー比と定義されるグラントは、Ｅ−ＤＣＨ絶対グラントチャネル（Ｅ−ＡＧＣＨ）及びＥ−ＤＣＨ相対グラントチャネル（Ｅ−ＲＧＣＨ）それぞれを通して伝送される絶対グラント及び相対グラントを介して、ネットワーク、例えば、ＲＮＣ又は無線基地局によって制御される。グラントは、本質的にパワー測定であり、ネットワークが、特定のＵＥが生成することを許容される干渉を制御することを可能にする。グラントは、ＵＥにデータ伝送の「上限」を与え、データビットの正確な数は、パワー及びバッファのステータス、及び本質的に上位レイヤによって信号送信される任意の数の基準値を介して構成される式に依存する（ＴＳ−２５．３２１「Medium Access Control (MAC) protocol specification」１１．０．０版の１１．８．１．４項を参照）。しかしながら、グラントは、ＭＩＭＯオペレーションにおいて、ＵＥのために非最適な伝送を生成することがあり、結果として無線通信ネットワークのパフォーマンスを低下させる。
【発明の概要】
【０００８】
本明細書の実施形態の目的は、無線通信ネットワークのパフォーマンスを改善したユーザ機器からの伝送を可能にすることである。
【０００９】
一態様によると、本発明の目的は、アップリンク多入力多出力モードにおけるユーザ機器の１次ストリーム及び２次ストリームから出る２次ストリームの伝送に関して、ユーザ機器にフィードバックを供給する、基地局における方法によって達成される。基地局は、チャネル内の２次ストリームのための好適な伝送ランク及びオフセットをユーザ機器に伝送する。オフセットは、２次ストリームのトランスポートブロックサイズを決定するときにユーザ機器によって使用され、好適な伝送ランクは、伝送ランクを決定するときにユーザ機器によって使用される。
【００１０】
別の態様によると、本発明の目的は、１次ストリーム及び２次ストリームから出る２次ストリームの伝送を扱うためのユーザ機器であって、アップリンク多入力多出力モードにあるユーザ機器における方法によって達成される。ユーザ機器は、基地局から、２次ストリームのための好適な伝送ランク及びオフセットを運ぶチャネルをモニターする。ユーザ機器は、２次ストリームにおいてデータを伝送するときに、好適な伝送ランク及びオフセットを使用する。オフセットは、２次ストリームのトランスポートブロックサイズを決定するために使用され、好適な伝送ランクは、伝送ランクを決定するために使用される。
【００１１】
さらに別の態様によると、本発明の目的は、アップリンク多入力多出力モードにおけるユーザ機器の１次ストリーム及び２次ストリームから出る２次ストリームの伝送に関して、ユーザ機器にフィードバックを供給するように適合される基地局によって達成される。基地局は、チャネル内の２次ストリームのための好適な伝送ランク及びオフセットをユーザ機器に伝送するように構成される送受信回路を含む。オフセットは、２次ストリームのトランスポートブロックサイズを決定するときにユーザ機器によって使用され、好適な伝送ランクは、伝送ランクを決定するときにユーザ機器によって使用される。
【００１２】
また別の態様によると、本発明の目的は、１次ストリーム及び２次ストリームから出る２次ストリームの伝送を扱うために適合されるユーザ機器であって、アップリンク多入力多出力モードにあるユーザ機器によって達成される。ユーザ機器は、基地局から、２次ストリームのための好適な伝送ランク及びオフセットを運ぶチャネルをモニターするように構成される制御及び処理回路を含む。制御及び処理回路は、２次ストリームにおいてデータを伝送するときに、好適な伝送ランク及びオフセットを使用するようにさらに構成される。オフセットは、２次ストリームのトランスポートブロックサイズを決定するために使用され、好適な伝送ランクは、伝送ランクを決定するために使用される。
【００１３】
本明細書の実施形態は、２次ストリームのためのトランスポートブロックサイズを設定するために使用されるオフセットの信号送信方法を開示し、これは、ユーザ機器からの伝送を効率化し、結果として、無線通信ネットワークのパフォーマンスを改善する。
【図面の簡単な説明】
【００１４】
実施形態は、添付の図面に関連してより詳細に説明される。
【００１５】
【図１】図１は、本明細書の実施形態による、ユーザ機器及び基地局を示すブロック図を示す。
【図２】図２は、本明細書の実施形態による、概略的複合フロー図及び信号送信スキームを示す。
【図３】図３は、Ｅ−ＡＧＣＨのコード化チェーンを図解するフロー図を示す。
【図４】図４は、本明細書の実施形態による、基地局における方法を図解するフロー図である。
【図５】図５は、本明細書の実施形態による、ユーザ機器における方法を図解するフロー図である。
【発明を実施するための形態】
【００１６】
図１は、基地局１２、例えばＮｏｄｅＢと、一又は複数のユーザ機器（ＵＥ）１４とを含む無線通信ネットワーク１０、例えば、３ＧＰＰ  ＷＣＤＭＡ／ＨＳＰＡネットワークのブロック図である。当業者であれば、「ユーザ機器」とは、任意の無線端末、デバイス、又はノード、例えば携帯情報端末、ノート型パソコン、モバイル機器、マシン型通信デバイス、センサー、中継装置、モバイルタブレット機器、又はさらに個別のセル内で通信する小型基地局を意味する、非限定的な用語であることを理解するであろう。
【００１７】
基地局１２は、例えば、使用される無線アクセス技術及び専門用語に応じて、基地局１２によってサービス提供されるセル内のユーザ機器と通信可能な、例えば、ＮｏｄｅＢ、無線基地局、基地送受信局、アクセスポイント基地局、基地局ルータ、又は任意の他のネットワークユニットとも呼ばれる。
【００１８】
基地局１２は、ユーザ機器１４の１次ストリーム及び２次ストリームから出る２次ストリームの伝送に関して、フィードバックを供給する。ユーザ機器１４は、アップリンクＭＩＭＯモードにある。基地局１２は、チャネル内において２次ストリームのための好適な伝送ランク及びオフセットを伝送する。ユーザ機器１４は、２次ストリームのための伝送ランク及びオフセットを運ぶチャネルをモニターする。ユーザ機器１４は、次いで、２次ストリームにおいてデータを伝送するときに、好適な伝送ランク及びオフセットを使用する。オフセットは、２次ストリームのトランスポートブロックサイズを決定するためにユーザ機器１４によって使用される。したがって、トランスポートブロックサイズはより正確であり、伝送は、ＭＩＭＯオペレーションにおいてユーザ機器１４にとってより最適であり、無線通信ネットワーク１０のパフォーマンス低下が回避される。さらに、ユーザ機器は、伝送ランクを決定するときに好適な伝送ランクを使用する。
【００１９】
基地局１２は複数のアンテナ１６を含み、ユーザ機器１４は同様に複数のアンテナ１８を含み、アンテナは、ユーザ機器１４とのＭＩＭＯ伝送に使用することができる。基地局１２は、一又は複数の制御及び処理回路２０、並びに送受信回路２２をさらに含む。本明細書の実施形態によると、基地局１２の送受信回路２２は、チャネル内において２次ストリームのための好適な伝送ランク及びオフセットをユーザ機器１４に伝送するように構成される。
【００２０】
基地局１４は、一又は複数の制御及び処理回路２４、並びに送受信回路２６を同様に含む。制御及び処理回路２０、２４は、ハードウェア、ソフトウェア、又はそれらの任意の組み合わせを含むことができる。本明細書の実施形態によると、ユーザ機器１４の制御及び処理回路２４は、基地局１２から、２次ストリームのための好適な伝送ランク及びオフセットを運ぶチャネルをモニターするように構成される。制御及び処理回路２４は、２次ストリームにおいてデータを伝送するときに好適な伝送ランク及びオフセットを使用するように構成され、オフセットは、２次ストリームのトランスポートブロックサイズを決定するために使用され、好適な伝送ランクは、伝送ランクを決定するために使用される。それぞれの送受信回路２２、２６は、一又は複数の送信機及び受信機を含むことができる。ユーザ機器１４の制御及び処理回路２４は、次いで、好適なランクに従って、且つ基地局１２から受信したデータに基づく２次ストリームのためのトランスポートブロックサイズで、データを伝送することができる。
【００２１】
本明細書の実施形態によると、ＭＩＭＯランクとも呼ばれる好適な伝送ランク、例えばＭＩＭＯにはランク１又はランク２のどちらが好適であるかと、２次ＭＩＭＯストリームのトランスポートブロックサイズを決定するために使用される、信号対妨害比（ＳＩＲ）オフセットとも呼ばれるオフセットとを信号送信する方法が開示される。好適な伝送ランク及びオフセット値は、ＨＳＵＰＡネットワークにおいて信号送信される。伝送は、既存のＥ−ＡＧＣＨチャネルと同じ構造を使用しうる、新しい絶対ランク及びＳＩＲオフセットチャネル（Ａｂｓｏｌｕｔｅ  Ｒａｎｋ  ａｎｄ  ＳＩＲ  Ｏｆｆｓｅｔ  Ｃｈａｎｎｅｌ：Ａ−ＲＯＣＨ）上での信号送信を含みうる。一部の実施形態は、好適なランク、即ちランク１又はランク２のどちらが好適であるかを、信号送信する方法をさらに開示する。
【００２２】
図２は、概略的複合フロー図及び信号送信スキームである。一又は複数の実施形態によると、ＭＩＭＯオペレーションについては、プライマリ（Ｐ）−ＤＰＣＣＨ上で動作する単一のインナーループパワー制御（ＩＬＰＣ）と、ＭＩＭＯオペレーションの少なくとも１次ストリーム及び２次ストリームから出る１次ストリームの質を制御する単一のアウタループパワー制御（ＯＬＣＰ）とを使用することが提案される。この選択の主な理由の１つは、１次ストリームが「レガシー」ストリームに対応し、且つ２次ストリームがどちらかというと「ベストエフォート」ストリームである状態で、ランク１伝送に対して、閉ループ伝送ダイバーシチ（ＣＬＴＤ）と共通性を保つことである。さらに、ストリーム間で均等に共有されている共通のグラントを使用することができ、これは、パワーがストリーム間で均等に共有されていることを示唆する。ランク１に対して信号送信されたグラント全体に、ランク２に対して信号送信されたグラントの半分又は全体にそれぞれ対応する、有効な（サービング）グラントに基づくレガシーＥ−ＴＦＣ選択手順（Ｌｅｇａｃｙ  Ｅ−ＴＦＣ  ｓｅｌｅｃｔｉｏｎ  ｐｒｏｃｅｄｕｒｅ）を使用して、１次ストリームのＴＢＳを決定することができる。結果として、１次ストリームのＥ−ＴＦＣＩに基づく手順を介して、例えばプライマリＥ−ＤＰＤＣＨ及び２次Ｅ−ＤＰＤＣＨのための、データ送信パワーも決定することができる。レガシー手順（ｌｅｇａｃｙ  ｐｒｏｃｅｄｕｒｅ）は、上位レイヤによって信号送信される、ランクに特有の参照値を組み込むために、ＭＩＭＯに関して修正することができる。伝送ランクは、伝送する任意の数のストリームを示す。
【００２３】
アクション２０１。基地局１２は、例えば、２次ストリーム上でパイロット信号を受信し、受信したパイロット信号に基づいて好適なランク及びオフセットを決定する。基地局１２は、１次ストリーム及び２次ストリームに対応する２つのパイロットチャネル、ＤＰＣＣＨ及び２次（Ｓ）−ＤＰＣＣＨを受信することができる。これらの２つのパイロットチャネルに基づいて、ユーザ機器１４にサービス提供する基地局１２は、例えばＳＩＲに基づいて、ストリームの質を計算することができ、そこから、ユーザ機器１４が１つ又は２つのストリームを好ましくは送信すべきかどうかを推定する。さらに、基地局１２は、適切なオフセットを計算することができる。例えば、２次ストリームに関連するデータ伝送の質を制御するために、ユーザ機器１４は、ネットワークからのフィードバックに基づいて、何らかのグラントを前提として、ユーザ機器１４がどのＥ−ＴＦＣを使用するべきか動的に調整することができる。ネットワーク制御フィードバックを有することの主な恩恵は、基地局１２が、受信したＳＩＮＲを計算することができ、且つその値と２次ストリームに対するブロック誤り率（ＢＬＥＲ）統計値に基づいて、基地局１２が、支持されるべきレートを推定できることである。ＳＩＲ１、ＳＩＲ２１、及びＳＩＲ２２を、それぞれ、単一のストリーム伝送、１次ストリームランク２伝送、及び２次ストリームランク２伝送と関連する受信ＳＩＮＲとする。線形受信機を想定した場合、ランク２伝送にコードを再利用することに起因してストリーム間干渉が発生し、且つプレコード化選択がしばしば１次ストリームを２次ストリームより優れたものとするため、すべての場合における同じ合計送信パワー及び同じチャネル条件について、一般的に関係式は、
ＳＩＲ１＞＞ＳＩＲ２１＞ＳＩＲ２２（式１）
となる。レガシーＥ−ＴＦＣ選択機構が、ＳＩＲ１に密に結合されているため、ユーザ機器１４は、ＴＢＳ選択がサービンググラント及びレガシーＥ−ＴＦＣ選択機構に基づいている場合、ランク２伝送のために大きすぎるＴＢＳを選ぶ可能性がある。しかしながら、本明細書の実施形態では、
△１＝ＳＩＲ１−ＳＩＲ２１（ｄＢ）（式２）
である、サービンググラントから△１を差し引いた値に基づいて１次ストリームＴＢＳが決定される。
【００２４】
ＤＰＣＣＨがパワー制御されているという事実に起因する固定のＳＩＲターゲットを前提に、ＳＩＲ１及びＳＩＲ２１がある程度一定であるため、連続的な信号送信△１を回避するために、ランク従属ＥＴＦＣ選択参照値を使用することが提案される（以下の「実施形態３」を参照）。同様に、２次ストリームＴＢＳが、
△２＝ＳＩＲ１−ＳＩＲ２２（ｄＢ）（式３）
である、サービンググラントから△２を差し引いた値に基づくことができる。
【００２５】
しかしながら、Ｓ−ＤＰＣＣＨがパワー制御されていないため、△２はかなり変化しうる。
【００２６】
以上の説明に基づいて、本明細書の実施形態では、サービンググラントから△を差し引いた値（ｄＢ）を用いて、ＭＩＭＯ  Ｅ−ＴＦＣ選択機構に基づいて、２次ストリームのＴＢＳが導き出され、ここでネットワークによってユーザ機器１４に動的に信号送信される１次ストリームと２次ストリームの間のＳＩＲの差異は、
△＝ＳＩＲ２１−ＳＩＲ２２（式４）
によって示される。
【００２７】
Ｅ−ＴＦＣ参照値が、ランク従属、△＝△２−△１であるため、△２よりはむしろ△が信号送信されるが、△１は、ランク従属Ｅ−ＴＦＣ参照値を有することによって補われることに留意されたい。△値は、次いで、２次ストリームに対する正確なＢＬＥＲターゲットを確実にするために追加で修正されうる。正確な詳細は、実装態様に特有でありうる。
【００２８】
アクション２０２。基地局１２は、２次ストリームのためのランク及びオフセットをユーザ機器１４に伝送する。好適な伝送ランクを信号送信するために新しいチャネルを使用することができ、２次ストリームＴＢＳを決定するために絶対オフセットを使用することができる。本明細書では、このチャネルは、絶対ランク及びＳＩＲオフセットチャネル（Ａ−ＲＯＣＨ）と呼ばれる。Ａ−ＲＯＣＨは、Ｅ−ＡＧＣＨと同じ構造又はフォーマットを使用し、即ち、合計６つの情報ビットを有するＩＤ特有ＣＲＣアタッチメントを利用する共有チャネルである。Ｅ−ＡＧＣＨに関するより詳しい情報は、文書ＴＳ−２５．２１２「Multiplexing and channel coding (FDD)」１１．０．０版、セクション４．１０を参照されたい。
【００２９】
一部の実施形態では、Ｅ−ＡＧＣＨ及びＡ−ＲＯＣＨは、ユーザ機器のアイデンティティを信号送信するために使用される、基地局１２又はＲＮＣ、及び種々のアイデンティティ（ＩＤ）又はＵＥマスクなど、ネットワークによって構成される種々のチャネル化コードをデフォルトで使用することができる。ユーザ機器１４は、これらのチャネル両方をモニターすることができる。１つの実施形態では、ネットワークは、コードリソース及びＵＥデスプレッダ能力（ＵＥ  ｄｅ−ｓｐｒｅａｄｅｒ  ｃａｐａｃｉｔｙ）をセーブするために、同じチャネル化コードを使用する一方で異なるＵＥマスクを使用するようにＥ−ＡＧＣＨ及びＡ−ＲＯＣＨを構成することを許可されている。これらの実施形態では、Ｅ−ＡＧＣＨ及びＡ−ＲＯＣＨは、次いで、時間で分けられて伝送され、ユーザ機器１４は、使用されるＵＥマスクに基づいて、Ｅ−ＡＧＣＨ又はＡ−ＲＯＣＨ伝送であるかを、リソース効率の良いやり方で、モニター及び検出する。したがって、チャネル化コードは、効率の良いやり方で種々のチャネルに再利用される。ＵＥマスクは、ユーザ機器１４内に保存される。一部の実施形態では、ネットワークは、異なるチャネル化コードを使用する一方で同じＵＥマスクを使用するようにＥ−ＡＧＣＨ及びＡ−ＲＯＣＨを構成することを許可されている。これらの場合では、Ｅ−ＡＧＣＨ及びＡ−ＲＯＣＨは、同時に伝送されることができる。Ａ−ＲＯＣＨは、ランクが変化しているときは常に伝送される必要があるが、さもなければ、新しいオフセット値、例えば絶対ＳＩＲオフセット値（ａｂｓｏｌｕｔｅ  ＳＩＲ  ｏｆｆｓｅｔ  ｖａｌｕｅ）を信号送信するためにも伝送されうる。Ａ−ＲＯＣＨは、ＣＲＣ保護されているため、チャネルが検出されるときはいつでも正確な情報がデコードされる可能性が非常に高い。さらに、これらの２つのチャネルは、異なるＵＥマスクと異なるチャネル化コードの両方を使用することができる。
【００３０】
Ａ−ＲＯＣＨのビットの解釈方法の種々の実施形態を想起することができる。
−スコープビット（ｓｃｏｐｅ  ｂｉｔ）は、オフセット値の符号、即ち、オフセット値が正であるか又は負であるかを示すために使用されうる。この場合、既存のグラントテーブルが、絶対オフセットを信号送信するために再利用可能である。この場合、１つの値、例えば、１ビット又は１ビットシーケンスが、ランク１が好適であることを示すために使用される（例えば、既存のＥ−ＡＧＣＨ値のゼログラント（ＺＥＲＯ  ＧＲＡＮＴ）又は非アクティブ（ＩＮＡＣＴＩＶＥ）に類似する）。残りの５つのビット、２＾５−１値が、次いで、オフセットを信号送信するために使用されうる。
−スコープビットは、好適なランクを示すために使用されうる。残りの５つのビットが、オフセットを信号送信するために使用されうる。
−スコープビットは、ランク変化が特定のハイブリッド自動再送要求（ＨＡＲＱ）プロセスを標的とするか、又はすべてのＨＡＲＱプロセスに適用されるかどうかを示すために使用される（Ｅ−ＡＧＣＨスコープビットの意味に類似）。この場合、１つの値、１ビット又は１ビットシーケンスが、ランク１が好適であることを示すために使用される（例えば、既存のＥ−ＡＧＣＨ値のゼログラント又は非アクティブに類似）。残りの５つのビット、２＾５−１値が、次いで、オフセットを信号送信するために使用されうる。
−スコープビットは取り除かれる。この場合、実質的に６つのビットすべてが、オフセット値を信号送信するために使用されうる。この場合、１つの値、１ビット又は１ビットシーケンスが、ランク１が好適であることを示すために使用される（例えば、既存のＥ−ＡＧＣＨ値のゼログラント又は非アクティブに類似）。
【００３１】
Ａ−ＲＯＣＨがＥ−ＡＧＣＨに従ったフォーマットである一部の実施形態によると、伝送ランクは、Ｅ−ＡＧＣＨにおいて絶対グラント値（ａｂｓｏｌｕｔｅ  ｇｒａｎｔ  ｖａｌｕｅ）を適用するプロセスを示すビットに対応するビットにおいて示される。１ビットは、ランク２が許可されるかどうかを示し、残りの５つのビットは、テーブルを介してオフセット値を与えるインデックスを示すことができる。
【００３２】
アクション２０３。ユーザ機器１４は、伝送に対するチャネルをモニター、即ち、検出し、且つＡーＲＯＣＨが検出されたときにそれをデコードする。ユーザ機器１４は、Ｅ−ＤＣＨ無線ネットワーク識別子などのユーザ機器アイデンティティに基づいて、Ａ−ＲＯＣＨ又はＥ−ＡＧＣＨを検出することができる。
【００３３】
アクション２０４。ユーザ機器１４は、受信した好適な伝送ランクを使用する。したがって、２次ストリームＴＢＳは、サービンググラントからネットワーク信号送信オフセット△（ｄＢ）を差し引いた値を使用するＭＩＭＯ  Ｅ−ＴＦＣ選択機構に基づいて決定されうる。
【００３４】
本明細書の図３を参照すると、Ｅ−ＡＧＣＨは、図３に図解されるコード化チェーンに従って、基地局１２においてコード化される。下付き文字の「ａｇｖ」は、絶対グラント値を示し、下付き文字の「ａｇｓ」は、絶対グラントスコープ（ａｂｓｏｌｕｔｅ  ｇｒａｎｔ  ｓｃｏｐｅ）を示し、したがって、「多重化ステップ」への入力は、絶対グラント値ｘａｇｖ，１，ｘａｇｖ，２，．．．，ｘａｇｖ，５及び絶対グラントスコープｘａｇｖ，１である。
【００３５】
アクション３０１。絶対グラント値情報ｘａｇｖ，１，ｘａｇｖ，２，．．．，ｘａｇｖ，５及び絶対グラントスコープ情報ｘａｇｓ，１は、まとめて多重化される。これにより、ビットのシーケンスｘａｇ，１，ｘａｇ，２，．．．，ｘａｇ，６が与えられる。
【００３６】
アクション３０２。ＩＤ特有ＣＲＣアタッチメントが、次いで、ビットに追加される。Ｅ−ＲＮＴＩは、Ｅ−ＤＣＨ無線ネットワーク識別子である。Ｅ−ＲＮＴＩは、ｘｉｄ，１が最上位のビット（Ｍｏｓｔ  Ｓｉｇｎｉｆｉｃａｎｔ  Ｂｉｔ：ＭＳＢ）に対応するようにマッピングされる。
【００３７】
ビットのシーケンスｘａｇ，１，ｘａｇ，２，．．．，ｘａｇ，６から、１６ビットＣＲＣが計算される。これにより、ビットのシーケンスｃ１，ｃ２，．．．，ｃ１６が与えられる。このビットのシーケンスは、次いで、ｘｉｄ，１，ｘｉｄ，２，．．．，ｘｉｄ，１６でマスクされ、ビットのシーケンスｘａｇ，１，ｘａｇ，２，．．．，ｘａｇ，６に付加されてビットのシーケンスｙ１，ｙ２，．．．，ｙ２２を形成する。ここで、
ｙｉ＝ｘａｇ，ｉ    ｉ＝１，２，．．．，６
ｙｉ＝（ｃｉ−６＋ｘｉｄ，ｉ−６）ｍｏｄ２    ｉ＝７，．．．，２２
である。
【００３８】
アクション３０３。次いで、チャネルがコード化される。１／３レートの畳込みコード化が、ビットのシーケンスｙ１，ｙ２，．．．，ｙ２２に適用されて、ビットのシーケンスｚ１，ｚ２，．．．，ｚ９０となる。
【００３９】
アクション３０４。次いで、コード化されたビット上でレートマッチングが実行される。入力シーケンスｚ１，ｚ２，．．．，ｚ９０から、ビットｚ１，ｚ２，ｚ５，ｚ６，ｚ７，ｚ１１，ｚ１２，ｚ１４，ｚ１５，ｚ１７，ｚ２３，ｚ２４，ｚ３１，ｚ３７，ｚ４４，ｚ４７，ｚ６１，ｚ６３，ｚ６４，ｚ７１，ｚ７２，ｚ７５，ｚ７７，ｚ８０，ｚ８３，ｚ８４，ｚ８５，ｚ８７，ｚ８８，ｚ９０がパンクチャされ、それにより、出力シーケンスｒ１，ｒ２，．．．，ｒ６０が得られる。
【００４０】
アクション３０５。コード化されたビットは、次いで、物理チャネルにマッピングされる。ビットのシーケンスｒ１，ｒ２，．．．，ｒ６０は、対応するＥ−ＡＧＣＨサブフレームにマッピングされる。ビットｒｋは、ｋに関して昇順に、無線で伝送されるようにマッピングされる。Ｅ−ＤＣＨ伝送時間間隔（Ｔｒａｎｓｍｉｓｓｉｏｎ  Ｔｉｍｅ  Ｉｎｔｅｒｖａｌ：ＴＴＩ）が１０ｍｓに等しい場合、同じビットのシーケンスが、Ｅ−ＡＧＣＨ無線フレームのすべてのＥ−ＡＧＣＨサブフレームにおいて伝送される。
【００４１】
提案されているＡ−ＲＯＣＨがＥーＡＧＣＨと同じフォーマットで構造化されているため、Ａ−ＲＯＣＨのコード化チェーンは、Ｅ−ＡＧＣＨのコード化チェーンの後に続く。しかしながら、一部の実施形態で開示されているように、Ｅ−ＡＧＣＨのスコープビットは、ランクインジケータビットによって交換され、絶対グラント値は、オフセット値によって交換されうる。例えば、オフセット値は、ｘａｇｖ，１，ｘａｇｖ，２，．．．，ｘａｇｖ，５の代わりにｘｏ，１，ｘｏ，２，．．．，ｘｏ，５で示され、ランクビットは、ｘａｇｓ，１の代わりにｘｒ，１で示される。さらに、多重化されたビットは、ｘａｇ，１．．．ｘａｇ，６の代わりにｘｒｏ，１．．．ｘｒｏ，６で示され、絶対グラントビットの代わりに伝送ランク及びオフセットビットで示される。
【００４２】
以下の表１は、インデックスリストにおける絶対グラント値を開示する。したがって、基地局１２は、絶対グラント値を示すためにインデックスを伝送することができる。同様に、オフセット値は、インデックスリストにおいて構造化され、基地局１２は、ユーザ機器１４にインデックスを伝送することができる。
【００４３】
表１：絶対グラント値のマッピング
2015518668.tif 000003
【００４４】
これより、一部の実施形態による、ユーザ機器１４の１次ストリーム及び２次ストリームから出る２次ストリームの伝送に関して、ユーザ機器１４にフィードバックを供給するための、基地局１２における方法及びアクションについて、図４に示されるフロー図を参照して説明する。ユーザ機器１４は、アップリンク多入力多出力モードで構成される。
【００４５】
アクション４０１。基地局１２は、チャネル内において２次ストリームのための好適な伝送ランク及びオフセットをユーザ機器１４に伝送する。オフセットは、２次ストリームのトランスポートブロックサイズを決定するときにユーザ機器１４によって使用され、好適な伝送ランクは、伝送ランク、例えば伝送するストリームの数を決定するときにユーザ機器１４によって使用される。チャネルは、アイデンティティ特有巡回冗長検査アタッチメント（ｉｄｅｎｔｉｔｙ−ｓｐｅｃｉｆｉｃ  ｃｙｃｌｉｃ  ｒｅｄｕｎｄａｎｃｙ  ｃｈｅｃｋ  ａｔｔａｃｈｍｅｎｔ）を利用する共有チャネルによって定義されるフォーマットでありうる。チャネルは、６つの情報ビットを含みうる。１ビットが好適な伝送ランクを示すことができ、５ビットがオフセットを示すことができる。一部の実施形態では、１ビットがランク変化を示し、特定のＨＡＲＱプロセスを標的とするか、又はすべてのＨＡＲＱプロセスに適用される。
【００４６】
一部の実施形態では、チャネルは、Ｅ−ＡＧＣＨと同じチャネル化コードを使用し、且つＥ−ＡＧＣＨと異なるユーザ機器アイデンティティ又は異なるユーザ機器マスクを使用する。一部の実施形態では、チャネルは、Ｅ−ＡＧＣＨと異なるチャネル化コードを使用し、且つＥ−ＡＧＣＨと同じユーザ機器マスク又は同じユーザ機器アイデンティティを使用する。一部の実施形態では、チャネルは、Ｅ−ＡＧＣＨと異なるチャネル化コードを使用し、且つＥ−ＡＧＣＨと異なるユーザ機器マスク又は異なるユーザ機器アイデンティティを使用する。チャネルがＥ−ＡＧＣＨと異なるチャネル化コードを使用する場合、他の任意のコード多重化されたチャネルのように、複数のチャネルを同時に送信／受信することができる。チャネルは、好適な伝送ランクが変更されたとき、及び／又は新しいオフセット値、例えば絶対ＳＩＲオフセット値が伝達されるべきときに、伝送されうる。
【００４７】
これより、一部の実施形態による、１次ストリーム及び２次ストリームから出る２次ストリームの伝送を扱うユーザ機器１４における方法及びアクションについて、図５に示されるフロー図を参照して説明する。アクションは、後述の順番で行われる必要はなく、任意の適切な順序で行われてもよい。一部の実施形態で実行されるアクションは、破線のボックスで示されている。ユーザ機器１４は、アップリンクＭＩＭＯモードにある。
【００４８】
アクション５０１。ユーザ機器１４は、基地局１２から、２次ストリームのための好適な伝送ランク及びオフセットを運ぶチャネルをモニターする。したがって、ユーザ機器１４は、２次ストリームのための好適な伝送ランク及びオフセットを検出する。
【００４９】
アクション５０２。ユーザ機器１４は、２次ストリームにおいてデータを伝送するときに好適な伝送ランク及びオフセットを使用し、オフセットは、２次ストリームのトランスポートブロックサイズを決定するために使用され、好適な伝送ランクは、伝送ランクを決定するために使用される。チャネルは、アイデンティティ特有巡回冗長検査アタッチメントを利用する共有チャネルによって定義されるフォーマットとすることができる。上述のように、チャネルは、６つの情報ビットを含みうる。例えば、１ビットが好適な伝送ランクを示すことができ、５つのビットがオフセットを示すことができる。これに加えて、又は代えて、１ビットがランク変化を示し、特定のＨＡＲＱプロセスを標的とするか、又はすべてのＨＡＲＱプロセスに適用される。
【００５０】
チャネルは、Ｅ−ＡＧＣＨと同じチャネル化コードを使用し、且つＥ−ＡＧＣＨと異なるユーザ機器マスク又はユーザ機器アイデンティティを使用することができる。ユーザ機器１４は、ユーザ機器マスク又はユーザ機器アイデンティティに基づいて、チャネル及びＥ−ＡＧＣＨを特定する。チャネルは、代替的に、Ｅ−ＡＧＣＨと異なるチャネル化コードを使用し、且つＥ−ＡＧＣＨと同じユーザ機器マスク又は同じユーザ機器アイデンティティを使用することができる。ユーザ機器１４は、次いで、チャネル化コードに基づいて、チャネル及びＥ−ＡＧＣＨを特定することができる。代替的に、チャネルは、Ｅ−ＡＧＣＨと異なるチャネル化コードを使用し、且つＥ−ＡＧＣＨと異なるユーザ機器マスク又は異なるユーザ機器アイデンティティを使用することもできる。ユーザ機器１４は、次いで、チャネル化コード及び／又はユーザ機器マスク又はユーザ機器アイデンティティに基づいて、チャネル及びＥ−ＡＧＣＨを特定することができる。
【００５１】
好適な伝送ランク及びオフセットを信号送信するための本明細書の実施形態は、本明細書の実施形態の機能及び／又は方法ステップを実行するコンピュータプログラムコードとともに、図１に示される制御及び処理回路２０、２４のような一又は複数のプロセッサを通して実施されうる。上述のプログラムコードは、例えば、ユーザ機器１４又は基地局１２にロードされているときに本明細書の実施形態を実行するコンピュータプログラムコードを運ぶデータキャリアの形態で、コンピュータプログラム製品としても提供されうる。このようなキャリアの１つは、ＣＤ−ＲＯＭディスクの形態をとりうる。しかしながら、これはメモリースティックなどの他のデータキャリアでも実施可能である。コンピュータプログラムコードは、さらに、サーバー上の純プログラムコード（ｐｕｒｅ  ｐｒｏｇｒａｍ  ｃｏｄｅ）として提供され、ユーザ機器１４又は基地局１２にダウンロードされうる。
【００５２】
ユーザ機器１４及び基地局１２はそれぞれのメモリを含むことができ、各メモリは、一又は複数のメモリユニットを含むことができ、基地局１２又はユーザ機器１４上で実行されるとき、例えば、チャネル化コード、オフセット、ランク、フィードバック、ＵＥアイデンティティ、チャネルデータ、本明細書の方法を実行するアプリケーションなどのデータを保存するために使用することができる。ユーザ機器１４は、次のＡ−ＲＯＣＨメッセージを受信するまでに、メモリ内にランク及びオフセット情報を保持し、Ａ−ＲＯＣＨメッセージを受信すると、新しい情報でメモリを更新する。
【００５３】
当業者であれば、説明された様々な「回路」は、アナログ回路及びデジタル回路の組み合わせ及び／又は一又は複数のプロセッサであって、一又は複数のプロセッサによって実行されると上記のように機能する、例えばメモリ内に保存されるソフトウェア及び／又はファームウェアで構成される一又は複数のプロセッサを指す。これらのプロセッサの一又は複数、並びに他のデジタルハードウェアは、単一の特定用途向け集積回路（ＡＳＩＣ）に含まれよもよく、又は、幾つかのプロセッサ及び様々なデジタルハードウェアは、個別包装であろうが、システムオンチップ（Ｓｙｓｔｅｍ−ｏｎ−ａ−Ｃｈｉｐ：ＳｏＣ）中にアセンブルされていようが、幾つかの個別のコンポーネントに分配されてもよい。
【００５４】
図面及び明細書では、本明細書の例示的な実施形態が開示された。しかしながら、実施形態の原則から実質的に逸脱することなく、これらの実施形態に多くの変形及び修正を行うことができる。したがって、特定の用語が用いられているが、一般的及び説明的な意味でのみ使用されており、特許請求の範囲によって定義されている実施形態の範囲の限定を目的としていない。
【００５５】
略語
ＭＩＭＯ  多重入出力
ＳＩＮＲ  信号対干渉及びノイズ比
ＱＡＭ  直交振幅変調
ＩＬＰＣ  インナーループパワー制御
ＯＬＰＣ  アウタループパワー制御
ＴＢＳ  トランスポートブロックサイズ
Ｅ−ＤＣＨ  拡張専用チャネル
Ｅ−ＤＰＤＣＨ  Ｅ−ＤＣＨ専用物理データチャンネル
Ｅ−ＤＰＣＣＨ  Ｅ−ＤＣＨ専用物理制御チャンネル（ＦＤＤのみ）
Ｅ−ＲＧＣＨ  Ｅ−ＤＣＨ相対グラントチャネル
Ｅ−ＡＧＣＨ  Ｅ−ＤＣＨ絶対グラントチャネル
Ｅ−ＴＦＣＩ  Ｅ−ＤＣＨトランスポートフォーマットコンビネーションインジケータ
Ｅ−ＴＦＣ  Ｅ−ＤＣＨトランスポートフォーマットコンビネーション
ＤＰＣＣＨ  専用物理制御チャンネル
ＨＳＰＡ  高速パケットアクセス
ＨＳＤＰＡ  高速ダウンリンクパケットアクセス
ＨＳＵＰＡ  高速アップリンクパケットアクセス
ＨＳ−ＳＣＣＨ  高速共有制御チャネル
ＲＮＳ  無線ネットワーク制御装置
ＲＲＣ  無線リソース制御
ＳＩＢ  システム情報ブロードキャスト
Ｔｘ  伝送
ＴｘＤ  伝送ダイバーシチ
ＵＥ  ユーザ機器
ＵＬ  アップリンク
【図１】
2015518668.tif 000004
【図２】
2015518668.tif 000005
【図３】
2015518668.tif 000006
【図４】
2015518668.tif 000007
【図５】
2015518668.tif 000008
【手続補正書】
【提出日】平成26年1月16日(2014.1.16)
【手続補正１】
【補正対象書類名】明細書
【補正対象項目名】０００７
【補正方法】変更
【補正の内容】
【０００７】
グラント及びＥ−ＴＦＣ選択の手順
レガシーＵＥについては、トランスポートブロックサイズ（ＴＢＳ）が、グラント及び拡張専用トランスポートチャネルトランスポートフォーマットコンビネーション（Ｅ−ＴＦＣ）選択手順を介して設定及び制御される。拡張専用トランスポートチャネルは、Ｅ−ＤＣＨと略すことができる。拡張専用トランスポート専用物理データチャンネル（Ｅ−ＤＰＤＣＨ）と専用物理制御チャネル（ＤＰＣＣＨ）の間のパワー比と定義されるグラントは、Ｅ−ＤＣＨ絶対グラントチャネル（Ｅ−ＡＧＣＨ）及びＥ−ＤＣＨ相対グラントチャネル（Ｅ−ＲＧＣＨ）それぞれを通して伝送される絶対グラント及び相対グラントを介して、ネットワーク、例えば、ＲＮＣ又は無線基地局によって制御される。グラントは、本質的にパワー測定であり、ネットワークが、特定のＵＥが生成することを許容される干渉を制御することを可能にする。グラントは、ＵＥにデータ伝送の「上限」を与え、データビットの正確な数は、パワー及びバッファのステータス、及び本質的に上位レイヤによって信号送信される任意の数の基準値を介して構成される式に依存する（ＴＳ−２５．３２１「Medium Access Control (MAC) protocol specification」１１．０．０版の１１．８．１．４項を参照）。しかしながら、グラントは、ＭＩＭＯオペレーションにおいて、ＵＥのために非最適な伝送を生成することがあり、結果として無線通信ネットワークのパフォーマンスを低下させる。
ＷＯ２０１１１２７３５８は、多重アンテナを介して伝送される伝送ストリームの伝送電力を動的に制御するための方法を示している。多重ストリームの伝送電力レベルは、第1の参照チャネルに基づいて決定される。２つの参照チャネル間の信号対妨害比（ＳＩＲ）の差異は、電力オフセットを表しうる。電力オフセットは、第1の参照チャネルのゲイン係数に関して２次ストリーム上でデータチャネルを伝送するために使用されるゲイン係数を決定するために使用される。同様のシステムを開示する文献は、「Downlink Grant Channel Design for UL MIMO」 Nokia Siemens Networks, 3GPP Draft; R1-120662, 20120131 3rd Generation Partnership Project (3GPP), Mobile Competence Centre ; 650, route des Lucioles ; F-06921 Sophia-Antipolis Cedex ; France, Vol:RAN WG1,Nr:Dresden; 20120206 − 20120210, XP050563061; Document 「Chairmana s notes of the UTRA maintenance, MIMO with 64QAM for HSUPA and LCR TDD HSPA feedback and signaling efficiency enhancement study sessions」HSPA session chairman (Karri Ranta-aho Nokia Siemens Networks) , 3GPP Draft; R1-120920, 20120213 3rd Generation Partnership Project (3GPP), Mobile Competence Centre ; 650, route des Lucioles ; F-06921 Sophia-Antipolis Cedex ; France, Vol:RAN WG1,Nr:Dresden, Germany; 20120206 − 20120210, XP050563459などである。
【手続補正２】
【補正対象書類名】明細書
【補正対象項目名】０００８
【補正方法】変更
【補正の内容】
【０００８】
本明細書の実施形態の目的は、無線通信ネットワークのパフォーマンスを改善したユーザ機器からの伝送を可能にすることである。この目的は、請求項１、６、１０、及び１５によって達成される。
【手続補正３】
【補正対象書類名】特許請求の範囲
【補正対象項目名】全文
【補正方法】変更
【補正の内容】
【特許請求の範囲】
【請求項１】
アップリンク多入力多出力モードにおけるユーザ機器（１４）の１次ストリーム及び２次ストリームから出る２次ストリームの伝送に関して、ユーザ機器（１４）にフィードバックを供給する、基地局（１２）における方法であって、
−チャネル内において前記２次ストリームのための好適な伝送ランク及びオフセットを前記ユーザ機器（１４）に伝送すること（２０２、４０１）であって、前記オフセットが、前記２次ストリームのトランスポートブロックサイズを決定するときに前記ユーザ機器（１４）によって使用され、前記好適な伝送ランクが、伝送ランクを決定するときに前記ユーザ機器（１４）によって使用される、伝送すること（２０２、４０１）を
含み、
前記チャネルが、拡張専用チャネル絶対グラントチャネル（Ｅ−ＡＧＣＨ）と同じチャネル化コードを使用し、且つ前記Ｅ−ＡＧＣＨと異なるユーザ機器アイデンティティ又は異なるユーザ機器マスクを使用するか、
前記チャネルが、拡張専用チャネル絶対グラントチャネル（Ｅ−ＡＧＣＨ）と異なるチャネル化コードを使用し、且つ前記Ｅ−ＡＧＣＨと同じユーザ機器マスク又は同じユーザ機器アイデンティティを使用するか、或いは
前記チャネルが、拡張専用チャネル絶対グラントチャネル（Ｅ−ＡＧＣＨ）と異なるチャネル化コードを使用し、且つ前記Ｅ−ＡＧＣＨと異なるユーザ機器マスク又は異なるユーザ機器アイデンティティを使用する
ことを特徴とする方法。
【請求項２】
前記チャネルのフォーマットは、アイデンティティ特有巡回冗長検査アタッチメントを利用する共有チャンネルによって定義されるものである、請求項１に記載の方法。
【請求項３】
前記チャネルが、前記好適な伝送ランクが変更されたとき、及び／又は新しいオフセット値が伝達されるべきとき、伝送される、請求項１又は２に記載の方法。
【請求項４】
前記チャネルが６つの情報ビットを含み、１ビットが前記好適な伝送ランクを示し、５ビットが前記オフセットを示す、請求項１から３のいずれか一項に記載の方法。
【請求項５】
１ビットが、ランク変化を示し、且つ特定のハイブリッド自動再送要求（ＨＡＲＱ）プロセスを標的とするか、又はすべてのＨＡＲＱプロセスに適用される、請求項１から４のいずれか一項に記載の方法。
【請求項６】
１次ストリーム及び２次ストリームから出る２次ストリームの伝送を扱うユーザ機器（１４）における方法であって、前記ユーザ機器（１４）が、アップリンク多入力多出力モードにあり、
−基地局（１２）から２次ストリームのための好適な伝送ランク及びオフセットを運ぶチャネルをモニターすること（２０３、５０１）と、
−前記２次ストリームにおいてデータを伝送するときに前記好適な伝送ランク及び前記オフセットを使用すること（２０４、５０２）であって、前記オフセットが、前記２次ストリームのトランスポートブロックサイズを決定するために使用され、前記好適な伝送ランクが、伝送ランクを決定するために使用される、使用すること（２０４、５０２）と
を含み、
前記チャネルが、拡張専用チャネル絶対グラントチャネル（Ｅ−ＡＧＣＨ）と同じチャネル化コードを使用し、且つ前記Ｅ−ＡＧＣＨと異なるユーザ機器マスク又はユーザ機器アイデンティティを使用し、前記ユーザ機器（１４）が、前記ユーザ機器マスク又は前記ユーザ機器アイデンティティに基づいて前記チャネル及び前記Ｅ−ＡＧＣＨを特定するか、
前記チャネルが、拡張専用チャネル絶対グラントチャネル（Ｅ−ＡＧＣＨ）と異なるチャネル化コードを使用し、且つ前記Ｅ−ＡＧＣＨと同じユーザ機器マスク又は同じユーザ機器アイデンティティを使用し、前記ユーザ機器（１４）が、チャネル化コードに基づいて前記チャネル及び前記Ｅ−ＡＧＣＨを特定するか、或いは
前記チャネルが、拡張専用チャネル絶対グラントチャネル（Ｅ−ＡＧＣＨ）と異なるチャネル化コードを使用し、且つ前記Ｅ−ＡＧＣＨと異なるユーザ機器マスク又は異なるユーザ機器アイデンティティを使用し、前記ユーザ機器（１４）が、チャネル化コード及び／又はユーザ機器マスク又はユーザ機器アイデンティティに基づいて前記チャネル及び前記Ｅ−ＡＧＣＨを特定する
ことを特徴とする方法。
【請求項７】
前記チャネルのフォーマットが、アイデンティティ特有巡回冗長検査アタッチメントを利用する共有チャンネルによって定義されるものである、請求項６に記載の方法。
【請求項８】
前記チャネルが６つの情報ビットを含み、１ビットが前記好適な伝送ランクを示し、５ビットが前記オフセットを示す、請求項６又は７に記載の方法。
【請求項９】
１ビットが、ランクの変化を示し、且つ特定のハイブリッド自動再送要求（ＨＡＲＱ）プロセスを標的とするか、又はすべてのＨＡＲＱプロセスに適用される、請求項６から８のいずれか一項に記載の方法。
【請求項１０】
アップリンク多入力多出力モードにおけるユーザ機器（１４）の１次ストリーム及び２次ストリームから出る２次ストリームの伝送に関して、前記ユーザ機器（１４）にフィードバックを供給するように適合される基地局（１２）であって、
チャネル内において前記２次ストリームのための好適な伝送ランク及びオフセットを前記ユーザ機器（１４）に伝送するように構成される送受信回路（２２）であって、前記オフセットが前記２次ストリームのトランスポートブロックサイズを示し、前記好適な伝送ランクが前記２次ストリームの伝送ランクを示す、送受信回路（２２）
を備え、
前記チャネルが、拡張専用チャネル絶対グラントチャネル（Ｅ−ＡＧＣＨ）と同じチャネル化コードを使用し、且つ前記Ｅ−ＡＧＣＨと異なるユーザ機器アイデンティティ又は異なるユーザ機器マスクを使用するか、
前記チャネルが、拡張専用チャネル絶対グラントチャネル（Ｅ−ＡＧＣＨ）と異なるチャネル化コードを使用し、且つ前記Ｅ−ＡＧＣＨと同じユーザ機器マスク又は同じユーザ機器アイデンティティを使用するか、或いは
前記チャネルが、拡張専用チャネル絶対グラントチャネル（Ｅ−ＡＧＣＨ）と異なるチャネル化コードを使用し、且つ前記Ｅ−ＡＧＣＨと異なるユーザ機器マスク又は異なるユーザ機器アイデンティティを使用する
ことを特徴とする基地局（１２）。
【請求項１１】
前記チャネルのフォーマットが、アイデンティティ特有巡回冗長検査アタッチメントを利用する共有チャンネルによって定義されるものである、請求項１０に記載の基地局（１２）。
【請求項１２】
前記好適な伝送ランクが変化するとき、及び／又は新しいオフセット値が伝達されるべきとき、前記チャネルを伝送するように構成される、請求項１０又は１１に記載の基地局（１２）。
【請求項１３】
前記チャネルが６つの情報ビットを含み、１ビットが前記好適な伝送ランクを示し、５ビットが前記オフセットを示す、請求項１０から１２のいずれか一項に記載の基地局（１２）。
【請求項１４】
１ビットが、ランク変化を示し、且つ特定のハイブリッド自動再送要求（ＨＡＲＱ）プロセスを標的とするか、又はすべてのＨＡＲＱプロセスに適用される、請求項１０から１３のいずれか一項に記載の基地局。
【請求項１５】
１次ストリーム及び２次ストリームから出る２次ストリームの伝送を扱うように適合されるユーザ機器（１４）であって、前記ユーザ機器（１４）が、アップリンク多入力多出力モードにあり、
基地局（１２）から前記２次ストリームのための好適な伝送ランク及びオフセットを運ぶチャネルをモニターするように構成され、且つ前記好適な伝送ランクに基づいて、及び前記オフセットに基づくトランスポートブロックサイズで、伝送ランクの２次ストリームの伝送を伝送するように構成される制御及び処理回路（２４）
を備え、
前記チャネルが、拡張専用チャネル絶対グラントチャネル（Ｅ−ＡＧＣＨ）と同じチャネル化コードを使用し、且つ前記Ｅ−ＡＧＣＨと異なるユーザ機器マスク又はユーザ機器アイデンティティを使用し、前記ユーザ機器（１４）が、前記ユーザ機器マスク又は前記ユーザ機器アイデンティティに基づいて前記チャネル及び前記Ｅ−ＡＧＣＨを特定するか、
前記チャネルが、拡張専用チャネル絶対グラントチャネル（Ｅ−ＡＧＣＨ）と異なるチャネル化コードを使用し、且つ前記Ｅ−ＡＧＣＨと同じユーザ機器マスク又は同じユーザ機器アイデンティティを使用し、前記ユーザ機器（１４）が、チャネル化コードに基づいて前記チャネル及び前記Ｅ−ＡＧＣＨを特定するか、或いは
前記チャネルが、拡張専用チャネル絶対グラントチャネル（Ｅ−ＡＧＣＨ）と異なるチャネル化コードを使用し、且つ前記Ｅ−ＡＧＣＨと異なるユーザ機器マスク又は異なるユーザ機器アイデンティティを使用し、前記ユーザ機器（１４）が、チャネル化コード及び／又はユーザ機器マスク又はユーザ機器アイデンティティに基づいて前記チャネル及び前記Ｅ−ＡＧＣＨを特定する
ことを特徴とするユーザ機器（１４）。
【請求項１６】
前記チャネルのフォーマットが、アイデンティティ特有巡回冗長検査アタッチメントを利用する共有チャンネルによって定義されるものである、請求項１５に記載のユーザ機器（１４）。
【請求項１７】
前記チャネルが６つの情報ビットを含み、１ビットが前記好適な伝送ランクを示し、５ビットが前記オフセットを示す、請求項１５又は１６に記載のユーザ機器（１４）。
【請求項１８】
１ビットが、ランク変化を示し、且つ特定のハイブリッド自動再送要求（ＨＡＲＱ）プロセスを標的とするか、又はすべてのＨＡＲＱプロセスに適用される、請求項１５から１７のいずれか一項に記載のユーザ機器（１４）。
【国際調査報告】
2015518668.tif 000009
2015518668.tif 000010
2015518668.tif 000011
2015518668.tif 000012